【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
コンピュータでインテリジェントアジェンダプログラムを展開する方法であって、前記方法が前記インテリジェントアジェンダプログラムを前記コンピュータにインストールするステップを含み、前記インテリジェントアジェンダプログラムが、プレゼンテーションプログラムにより生成された複数のスライドにアウトラインを表示し、前記アウトラインがプレゼンテーションにおける現在のスライドの文脈位置を表示する方法。
【請求項２】
コンピュータ使用可能媒体と、前記コンピュータ使用可能媒体にインストールされたインテリジェントアジェンダプログラムとを含む、コンピュータを動作させるためのプログラムであって、前記インテリジェントアジェンダプログラムが、プレゼンテーションプログラムにより生成された複数のスライドにアウトラインを表示し、前記アウトラインがプレゼンテーションにおける現在のスライドの文脈位置を表示するプログラム。
【請求項３】
前記インテリジェントアジェンダプログラムが前記アウトラインを前記スライドの各々のタイトルから自動的に生成する、請求項２に記載のプログラム。
【請求項４】
前記インテリジェントアジェンダプログラムが、前記アウトラインのユーザ設定書式を受け入れる命令と、前記ユーザ設定書式で前記スライドに前記アウトラインを表示する命令とを含む、請求項２に記載のプログラム。
【請求項５】
前記インテリジェントアジェンダプログラムは、ユーザが表示オプションを設定したかを決定する命令と、前記ユーザが前記表示オプションを設定しなかったという決定に応答して、拡張された前記アウトラインにトピックのすべてを用いて前記アウトラインを表示する命令とを含む、請求項４に記載のプログラム。
【請求項６】
前記インテリジェントアジェンダプログラムは、前記ユーザが表示オプションを設定したという決定に応答して、前記ユーザがアウトライン拡張オプションを選択したかを決定する命令と、前記ユーザが前記アウトライン拡張オプションを選択したという決定に応答して、前記ユーザにより選択された前記アウトライン拡張オプションに従って前記アウトラインを表示する命令とを含む、請求項４に記載のプログラム。
【請求項７】
前記アウトライン拡張オプションがすべてのレベルの前記アウトラインを拡張するようになっている、請求項６に記載のプログラム。
【請求項８】
前記アウトライン拡張オプションがユーザ設定可能なレベル数の前記アウトラインを拡張するようになっている、請求項６に記載のプログラム。
【請求項９】
前記アウトライン拡張オプションがアウトラインにおいて現在のトピックだけを拡張するようになっている、請求項６に記載のプログラム。
【請求項１０】
前記インテリジェントアジェンダプログラムは、前記ユーザが表示オプションを設定したという決定に応答して、前記ユーザが前記アウトラインの表示行数を制限したかを決定する命令と、前記ユーザが前記アウトラインの前記行数を制限したという決定に応答して、前記ユーザにより制限された前記表示行数に前記アウトラインを修正する命令とを含む、請求項４に記載のプログラム。
【請求項１１】
直接に隣接するトピックが残りの行のいずれかに表示される、請求項１０に記載のプログラム。
【請求項１２】
前記ユーザにより制限された行数に従って、現在のトピックより上位にあるトピックが表示され、次に、前記ユーザにより制限された行数に従って、直接に隣接するトピックが表示される、請求項１０に記載のプログラム。
【請求項１３】
前記インテリジェントアジェンダプログラムは、前記ユーザが表示オプションを設定したという決定に応答して、前記ユーザが、前記アウトラインに表示されるトピックの種類を制限したかを決定する命令と、前記ユーザが前記アウトラインのトピックの前記数を制限したという決定に応答して、前記ユーザにより制限された表示されるトピックの前記種類に前記アウトラインを修正する命令とを含む、請求項４に記載のプログラム。
【請求項１４】
前記アウトラインが前のトピックを表示しない、請求項１３に記載のプログラム。
【請求項１５】
前記アウトラインが後のトピックを表示しない、請求項１３に記載のプログラム。
【請求項１６】
前記ユーザ設定書式が、前記アウトラインと関連する色及び線である、請求項４に記載のプログラム。
【請求項１７】
前記ユーザ設定書式が、前記アウトラインのサイズである、請求項４に記載のプログラム。
【請求項１８】
前記ユーザ設定書式が、前記アウトラインのレイアウトである、請求項４に記載のプログラム。
【請求項１９】
前記ユーザ設定書式が、前記アウトラインと関連するピクチャである、請求項４に記載のプログラム。
【請求項２０】
前記ユーザ設定書式が、前記アウトラインと関連するテキストボックスである、請求項４に記載のプログラム。
【請求項２１】
前記ユーザ設定書式が、前記アウトラインと関連するウェブメッセージである、請求項４に記載のプログラム。
【請求項２２】
前記インテリジェントアジェンダが、各スライドの大体の存続期間を表示するタイマを含む、請求項４に記載のプログラム。
【請求項２３】
プレゼンテーションプログラムにより生成された複数のスライドにアウトラインを表示する装置であって、前記装置は、前記アウトラインのユーザ設定書式を受け入れる手段と、前記ユーザ設定書式で前記スライドに前記アウトラインを表示する手段と、ユーザが表示オプションを設定したかを決定する手段と、前記ユーザが前記表示オプションを設定しなかったという決定に応答して、拡張された前記アウトラインにトピックのすべてを用いて前記アウトラインを表示する手段と、前記ユーザが前記表示オプションを設定したという決定に応答して、前記ユーザがアウトライン拡張オプションを選択したかを決定する手段と、前記ユーザが前記アウトライン拡張オプションを選択したという決定に応答して、前記ユーザにより選択された前記アウトライン拡張オプションに従って前記アウトラインを表示する手段と、前記ユーザが前記表示オプションを設定したという決定に応答して、前記ユーザが前記アウトラインの表示行数を制限したかを決定する手段と、前記ユーザが前記アウトラインの前記行数を制限したという決定に応答して、前記ユーザにより制限された前記表示行数に前記アウトラインを修正する手段と、前記ユーザが前記表示オプションを設定したという決定に応答して、前記ユーザが、前記アウトラインに表示されるトピックの種類を制限したかを決定する手段と、前記ユーザが前記アウトラインのトピックの前記数を制限したという決定に応答して、前記ユーザにより制限された表示されるトピックの前記種類に前記アウトラインを修正する手段とを含み、インテリジェントアジェンダプログラムが、各スライドの大体の存続期間を表示するタイマを含み、前記アウトラインがプレゼンテーションにおける現在のスライドの文脈位置を表示し、前記インテリジェントアジェンダプログラムが前記アウトラインを前記スライドの各々のタイトルから自動的に生成する装置。
【請求項２４】
データ処理装置の動作を制御するプログラムコードを含むコンピュータプログラムであって、前記データ処理装置上で前記プログラムコードが、プレゼンテーションの複数のスライド内の現在のスライドの文脈位置の表現を生成及び更新するように実行し、前記プログラムコードが、前記複数のスライドの各々におけるテキストの選択に応答して、前記複数のスライドの選択されたテキストを含むアジェンダを生成するプログラムコードと、前記複数のスライドの各スライドと関連する前記アジェンダの表現を表示するプログラムコードとを含み、前記アジェンダの表示された表現が、前記複数のスライド内の現在表示されているスライドの前記文脈位置の表現を含むコンピュータプログラム。
【請求項２５】
コンピュータ生成プレゼンテーションの複数のスライド内の現在のスライドの文脈位置の表現を生成及び更新する方法であって、前記方法が、前記複数のスライドの各々におけるテキストの選択に応答して、前記複数のスライドの選択されたテキストを含むアジェンダを生成するコンピュータ実施ステップと、前記複数のスライドの各スライドと関連する前記アジェンダの表現を表示するコンピュータ実施ステップとを含み、前記アジェンダの表示された表現が、前記複数のスライド内の現在表示されているスライドの前記文脈位置の表現を含む方法。